(57)【要約】【課題】  棒鋼の鋼種と径を容易に識別できるようにする。【解決手段】  異形棒鋼１０の周面は、異形棒鋼１０の軸線に沿って配された複数の表示領域１４Ａを有している。各表示領域１４Ａには、鋼種に対応した色を呈する塗料からなる鋼種識別マーク１５Ａと、径に対応した色を呈する塗料からなる径識別マーク１６Ａとが付されている。これら鋼種識別マーク１５Ａと径識別マーク１６Ａは、形状、数、寸法、異形棒鋼に対する角度のうちの少なくとも１つにおいて異なっている。【選択図】  図１
2011104616.tif 000002
【特許請求の範囲】
【請求項１】
異形棒鋼において、その周面に、鋼種に対応した色を呈する塗料からなる鋼種識別マークと、径に対応した色を呈する塗料からなる径識別マークとが付されていることを特徴とする異形棒鋼。
【請求項２】
上記周面が異形棒鋼の軸線に沿って配された複数の表示領域を有し、この表示領域毎に上記鋼種識別マークと径識別マークが付されており、これら鋼種識別マークと径識別マークが、形状、数、寸法、異形棒鋼に対する角度のうちの少なくとも１つにおいて異なっていることを特徴とする請求項１に記載の異形棒鋼。
【請求項３】
上記鋼種識別マークと径識別マークが、形状、数、寸法、異形棒鋼に対する角度のうちの少なくとも１つにおいて異なっており、上記鋼種識別マークと径識別マークのうちの少なくとも１つが異形棒鋼の軸線方向に沿って連続して長く延びていることを特徴とする請求項１に記載の異形棒鋼。
【請求項４】
上記周面が異形棒鋼の軸線に沿って配された複数の表示領域を有し、この表示領域毎に上記鋼種識別マークと径識別マークが付されており、鋼種識別マークが第１の色群から選択された色を呈し、径識別マークが第２の色群から選択された色を呈し、第１の色群と第２の色群が同一の色を含まないことを特徴とする請求項１に記載の異形棒鋼。
【請求項５】
上記周面が異形棒鋼の軸線に沿って配された複数の表示領域を有し、この表示領域毎に上記鋼種識別マークと径識別マークが付されており、鋼種識別マークが第１の色群から選択された色を呈し、径識別マークが第２の色群から選択された色を呈し、第１の色群と第２の色群において、特定の１つの色が共通に用いられ、他の色が互いに異なることを特徴とする請求項１に記載の異形棒鋼。
【請求項６】
上記鋼種識別マークと径識別マークは、異形棒鋼の端からの遠近により、識別可能であることを特徴とする請求項１に記載の異形棒鋼。
【請求項７】
請求項１〜６に記載の異形棒鋼を連結する継手において、左右の棒鋼連結部のそれぞれの周面に、連結すべき異形棒鋼の径を表す径識別マークを付し、この径識別マークは、連結すべき異形棒鋼に付された径識別マークと同じ色の塗料からなることを特徴とする継手。
【請求項８】
左右の棒鋼連結部のそれぞれの周面に、連結すべき異形棒鋼の鋼種を表す鋼種識別マークを付し、この鋼種識別マークは、連結すべき異形棒鋼に付された鋼種識別マークと同じ色の塗料からなることを特徴とする請求項７に記載の継手。
【発明の詳細な説明】
【技術分野】
【０００１】
本発明は、鋼種と径を識別するためのマークを有する異形棒鋼に関する。
【背景技術】
【０００２】
建築現場では、配筋場所に応じて径や鋼種（引っ張り強度等の機械的性質）が異なる異形棒鋼が用いられる。特に鋼種については棒鋼を見ても識別できないので、棒鋼の誤配筋を無くすために、鋼種識別マークを鋼棒に付すことがＪＩＳ規格により義務付けられている。具体的には、棒鋼の一方の端面に鋼種毎に異なる色の塗料を塗るか、圧延ロールにより棒鋼の周面に軸線方向に等間隔をおいて鋼種毎に異なる凹又は凸のマークを刻印する。
【０００３】
上述のようにＪＩＳ規格では鋼種識別マークを付することが義務付けられているが、建築現場では棒鋼の径を一瞥して識別することも求められている。この要求を満たすために、特許文献１では鋼種識別マークと径識別マークを棒鋼の周面に圧延により刻印している。また、特許文献２では鋼種および径を識別する英数字等の記号をインクジェットにより表示している。
【先行技術文献】
【特許文献】
【０００４】
【特許文献１】実用新案登録第３１３１５０３号公報
【特許文献２】特許４２６４４５９号公報
【発明の概要】
【発明が解決しようとする課題】
【０００５】
上記特許文献１，２に開示されたマークや記号は、建築現場において棒鋼から離れると見づらく、一瞥して鋼種および径を明瞭に識別できなかった。また、ＪＩＳ規格で規定されている棒鋼の端面の色付けは、鋼種を表示するだけで径を表示できず、しかも見る方向が限られているため鋼種を識別するのが面倒であった。
【課題を解決するための手段】
【０００６】
本発明は、上記課題を解決するためになされてものであり、異形棒鋼において、その周面に、鋼種に対応した色を呈する塗料からなる鋼種識別マークと、径に対応した色を呈する塗料からなる径識別マークとが付されていることを特徴とする。
この構成によれば、異形棒鋼の周面に鋼種と径を色により識別するマークを付したので、異形棒鋼の鋼種と径を一瞥して明瞭に識別することができる。
【０００７】
好ましくは、上記周面が異形棒鋼の軸線に沿って配された複数の表示領域を有し、この表示領域毎に上記鋼種識別マークと径識別マークが付されており、これら鋼種識別マークと径識別マークが、形状、数、寸法、異形棒鋼に対する角度のうちの少なくとも１つにおいて異なっている。
この構成によれば、各表示領域において鋼種識別マークと径識別マークを識別できるので、両者を混同して鋼種と径を誤認するのを防止することができる。また、表示領域が複数あるので、異形棒鋼を工場または建築現場で切断しても、異形棒鋼に表示領域が残り、鋼種と径の識別が可能である。
【０００８】
好ましくは、上記鋼種識別マークと径識別マークが、形状、数、寸法、異形棒鋼に対する角度のうちの少なくとも１つにおいて異なっており、上記鋼種識別マークと径識別マークのうちの少なくとも１つが異形棒鋼の軸線方向に沿って連続して長く延びている。
この構成によれば、連続したマークにより、鋼種または径を容易に識別することができる。また、棒鋼を切断しても両方の棒鋼にマークが残される。
【０００９】
好ましくは、上記周面が異形棒鋼の軸線に沿って配された複数の表示領域を有し、この表示領域毎に上記鋼種識別マークと径識別マークが付されており、鋼種識別マークが第１の色群から選択された色を呈し、径識別マークが第２の色群から選択された色を呈し、第１の色群と第２の色群が同一の色を含まない。
この構成によれば、鋼種と径の識別マークを色によって識別することができるので、両者を混同して鋼種と径を誤認するのを防止することができる。また、表示領域が複数あるので、異形棒鋼を工場または建築現場で切断しても、異形棒鋼に表示領域が残り、鋼種と径の識別が可能である。
【００１０】
好ましくは、上記周面が異形棒鋼の軸線に沿って配された複数の表示領域を有し、この表示領域毎に上記鋼種識別マークと径識別マークが付されており、鋼種識別マークが第１の色群から選択された色を呈し、径識別マークが第２の色群から選択された色を呈し、第１の色群と第２の色群において、特定の１つの色が共通に用いられ、他の色が互いに異なる。
この構成によれば、鋼種と径の識別マークを色によって識別することができるので、両者を混同して鋼種と径を誤認するのを防止することができる。なお、第１の色群と第２の色群において、特定の１つの色が共通に用いられるので、色の選択が容易になる。鋼種識別マークと径識別マークが偶然に特定の１つの色で表されていた場合、両マークを識別する必要がないので、鋼種、径を認識するのに不都合は生じない。
また、表示領域が複数あるので、異形棒鋼を工場または建築現場で切断しても、異形棒鋼に表示領域が残り、鋼種と径の識別が可能である。
【００１１】
好ましくは、上記鋼種識別マークと径識別マークは、異形棒鋼の端からの遠近により、識別可能である。
この構成によれば、鋼種と径の識別マークを混同して鋼種と径を誤認するのを防止することができる。
【００１２】
本発明の他の態様は、上記異形棒鋼を連結する継手において、左右の棒鋼連結部のそれぞれの周面に、連結すべき異形棒鋼の径を表す径識別マークを付し、この径識別マークは、連結すべき異形棒鋼に付された径識別マークと同じ色の塗料からなることを特徴とする。
この構成によれば、継手の棒鋼連結部に連結すべき径の異形棒鋼か否か、換言すれば異形棒鋼を連結することが可能な継手か否かを容易に確認することができる。
【００１３】
好ましくは、左右の棒鋼連結部のそれぞれの周面に、連結すべき異形棒鋼の鋼種を表す鋼種識別マークを付し、この鋼種識別マークは、連結すべき異形棒鋼に付された鋼種識別マークと同じ色の塗料からなる。
この構成によれば、異形棒鋼の鋼種を継手においても確認することができる。
【発明の効果】
【００１４】
本発明によれば、異形棒鋼の鋼種および径を一瞥して明瞭に識別することができる。
【図面の簡単な説明】
【００１５】
【図１】本発明の第１実施態様に係わる異形棒鋼を示し、（Ａ）は側面図，（Ｂ）は軸方向から見た端面図である。
【図２】本発明の第２実施形態を示す異形棒鋼の側面図である。
【図３】本発明の第３実施形態を示す異形棒鋼の側面図である。
【図４】本発明の第４実施形態を示す異形棒鋼の側面図である。
【図５】本発明の第５実施形態を示す異形棒鋼の側面図である。
【図６】本発明の第６実施形態を示す異形棒鋼の側面図である。
【図７】本発明の第７実施形態を示す異形棒鋼の側面図である。
【図８】本発明の第８実施形態を示す異形棒鋼の側面図である。
【図９】本発明の第９実施形態を示す異形棒鋼の側面図である。
【図１０】本発明の第１０実施形態を示す異形棒鋼の側面図である。
【図１１】本発明の第１１実施形態を示す異形棒鋼の側面図である。
【図１２】本発明の第１２実施形態を示す異形棒鋼の側面図である。
【図１３】本発明に係わる異形棒鋼と継手とを示す側面図である。
【発明を実施するための形態】
【００１６】
以下、本発明の第１実施形態に係わる異形棒鋼について図１を参照しながら説明する。図示の異形棒鋼１０において、その周面の径方向に対峙する一対の領域がねじ部１１となり、一対のねじ部１１の間の領域が、ねじ節が形成されていない面部分１２（以下、この面部分を平坦部と称す）となっている。ねじ部１１には、圧延の過程で形成されたねじ節１１ａが等間隔に形成されている。
【００１７】
図１に示す第１実施形態では、棒鋼１０は軸線方向に等間隔をおいて多数（複数）の表示領域１４Ａを有している。この表示領域１４Ａは、例えば一方の平坦部１１を含んで９０°〜１８０°の角度範囲Θを有している。
【００１８】
各表示領域１４Ａにおいて、鋼種識別マーク１５Ａと径識別マーク１６Ａが棒鋼１０の軸線方向に間隔をおいて形成されている。鋼種識別マーク１５Ａは、棒鋼１０の鋼種に対応した色を呈する塗料を塗ることにより構成され、径識別マーク１６Ａは棒鋼１０の径に対応した色を呈する塗料を塗ることにより構成されている。マーク１５Ａ、１６Ａの周方向の寸法は等しいが、幅（鋼棒１０の軸線方向の寸法）は、鋼種識別マーク１５Ａが径識別マーク１６Ａより大となっており、鋼種識別マーク１５Ａと径識別マーク１６Ａとを識別することができる。
【００１９】
鋼種識別マーク１５Ａに用いられる第１の色群を例示すると下記の通りである。
ＳＤ２９５Ａは無色（換言すればマーク１５Ａ無し）、ＳＤ２９５Ｂは「白」、ＳＤ３４５は「黄」、ＳＤ３９０は「緑」、ＳＤ４９０は「青」、ＵＳＤ５９０Ａは「黄緑」、ＵＳＤ５９０Ｂは「ピンク」、ＵＳＤ６８５Ａは「赤」、ＵＳＤ６８５Ｂは「黒」、ＵＳＤ９８０は「グレー」である。
【００２０】
径識別マーク１６Ａに用いられる第２の色群を例示すると下記の通りである。
Ｄ１０（径１０ｍｍ、以下同じ），Ｄ２５，Ｄ３８は「赤」、Ｄ１６，Ｄ２９，Ｄ４１は「黄」、Ｄ１９，Ｄ３２，Ｄ５１は「緑」、Ｄ２２，Ｄ３５は「青」である。
なお、複数の径で同一の色を用いているが、これら径は大きく異なるので、誤って識別することはない。
【００２１】
上述したように、棒鋼１０の周面に色で鋼種、径を表示したので、建築現場で離れていても見やすく、鋼種、径の識別を明瞭に行うことができ、誤配筋を防止することができる。
鋼種識別マーク１５Ａと径識別マーク１６Ａで用いる色は一部共通しているが、両者を形状で見分けることができるので、混同することはない。
また、表示領域１４Ａが間隔をおいて多数あるので、異形棒鋼１０を工場または建築現場で切断しても、異形棒鋼に表示領域１４Ａが残り、鋼種と径の識別が可能である。
【００２２】
次に、本発明の他の実施形態について図面を参照しながら説明する。これら実施形態において第１実施形態に対応する構成部には同番号または類似番号を付してその詳細な説明を省略する。
第２〜第１０実施形態において、鋼種識別マーク、径識別マークで用いる色は、第１実施形態と同様とする。
【００２３】
図２に示す第２実施形態では、棒鋼１０の軸線方向に等間隔をおいて形成された各表示領域１４Ｂにおいて、鋼種識別マーク１５Ｂと径識別マーク１６Ｂが棒鋼１０の軸線方向に間隔をおいて形成されている。鋼種識別マーク１５Ｂは各表示領域１４Ｂにおいて２本配置され、径識別マーク１６Ｂは１本配置されており、この数の相違により鋼種識別マーク１５Ｂと径識別マーク１６Ｂを識別することができる。
【００２４】
図３に示す第３実施形態では、棒鋼１０の軸線方向に等間隔をおいて形成された各表示領域１４Ｃにおいて、鋼種識別マーク１５Ｃと径識別マーク１６Ｃが棒鋼１０の軸線方向に間隔をおいて形成されている。鋼種識別マーク１５Ｃは周方向に分かれて複数形成され、径識別マーク１６Ｃは周方向に延びる棒状に形成されている。鋼種識別マーク１５Ｃと径識別マーク１６Ｃはその形状および数により識別することができる。
【００２５】
図４に示す第４実施形態では、棒鋼１０の軸線方向に等間隔をおいて形成された表示領域１４Ｄにおいて、鋼種識別マーク１５Ｄと径識別マーク１６Ｄが棒鋼１０の軸線方向に間隔をおいて形成されている。鋼種識別マーク１５Ｄが棒鋼１０の周方向（側面から見て暴行１０の軸線と直交する方向）に延びるように形成され、径識別マーク１６Ｄがねじ節１１ａとほぼ同方向に形成されている。鋼種識別マーク１５Ｄと径識別マーク１６Ｄは鋼棒１０の軸線及びねじ節１１ａに対する角度の相違により識別することができる。
【００２６】
図５に示す第５実施形態では、棒鋼１０の軸線方向に等間隔をおいて形成された表示領域１４Ｅにおいて、径識別マーク１６Ｅがねじ節１１ａと同方向に形成され、鋼種識別マーク１５Ｅが径識別マーク１６Ｅと交差するように重ね塗りして形成され、径識別マーク１６Ｅを２つに分断している。鋼種識別マーク１５Ｅと径識別マーク１６Ｅは鋼棒１０のねじ節１１ａに対する角度、形状、数の相違により識別することができる。なお、両マーク１５Ｅ，１６Ｅの色が等しい場合でも、当該色に対応する鋼種、径であることを識別できるので、不都合は生じない。
【００２７】
図６に示す第６実施形態では、棒鋼１０の軸線方向に等間隔をおいて形成された表示領域１４Ｆにおいて、径識別マーク１６Ｆが大きな円で形成され、鋼種識別マーク１５Ｆが径識別マーク１６Ｆの中心部に重ね塗りすることにより小さな円で形成されている。鋼種識別マーク１５Ｅと径識別マーク１６Ｅは径および形状により識別することができる。なお、両マーク１５Ｅ，１６Ｅの色が等しい場合には、当該色に対応する鋼種、径であることを識別できるので、不都合は生じない。また、鋼種識別マーク１５Ｆが無色の場合には、径識別マーク１６Ｆの中心部に塗料を塗布せず、径識別マーク１６Ｆをドーナツ状に形成すればよい。
【００２８】
図７に示す第７実施形態は、棒鋼１０のほぼ全長にわたる単一の表示領域を有している。この表示領域において、線状の鋼種識別マーク１５Ｇが棒鋼１０の軸線に沿って延びるようにして平坦部１２に形成されている。また、径識別マーク１６Ｇは、棒鋼１０の軸線方向に等間隔で配置されるとともに周方向に延び、鋼種識別マーク１５Ｇと交差するとともに鋼種識別マーク１５Ｇを分断するように重ね塗りして形成されている。鋼種識別マーク１５Ｇと径識別マーク１６Ｇは、その延び方向（棒鋼１０の軸線に対する角度）、形状、数の相違により、識別することができる。
【００２９】
図８に示す第８実施形態も、棒鋼１０のほぼ全長にわたる単一の表示領域を有している。この表示領域において、線状の径識別マーク１６Ｈが棒鋼１０の軸線に沿って延びるようにして平坦部１２に形成されている。また、同じ平坦部１２において径識別マーク１６Ｈに隣接し、この径識別マーク１６Ｈに沿って多数の鋼種識別マーク１５Ｈが等間隔で形成されている。マーク１５Ｈ，１６Ｈは、その形状、数により識別することができる。
【００３０】
図９に示す第９実施形態も、棒鋼１０のほぼ全長にわたる単一の表示領域を有している。この表示領域において、一方の平坦部１２に、棒鋼１０の軸線に沿って連続して延びる幅広の線状の径識別マーク１６Ｉが形成され、その幅方向中央に、幅の狭い線状の鋼種識別マーク１５Ｉが径識別マーク１６Ｉを２つに分断するように重ね塗りされている。これらマーク１５Ｉ，１６Ｉは、その寸法、形状、本数により識別される。
なお、第９実施形態において、径識別マーク１６Ｉをより幅広にし、一対のねじ部１１の端部にまで広げてもよい。また、径識別マーク１５Ｉと径識別マーク１６Ｉとを同じ幅にして、鋼種識別マーク１５Ｉを軸線方向に間隔をおいて多数形成してもよい。
【００３１】
図１０に示す第１０実施形態では、棒鋼１０は、端面１３（ＪＩＳ規格に従い鋼種に対応する色の塗料が塗られている）から所定距離Ｌ（例えば１ｍ）離れた表示領域１４Ｊを有している。
上記表示領域１４Ｊには、互いに棒鋼１の軸線方向に離れた鋼種識別マーク１５Ｊと径識別マーク１６Ｊとが形成されている。
鋼種識別マーク１５Ｊ、径識別マーク１６Ｊの形状、寸法、数、角度は等しいが、鋼種識別マーク１５Ｊが径識別マーク１６Ｊに較べて端面１３に近い位置にあるので、これら鋼種識別マーク１５Ｊと径識別マーク１６Ｊを識別することができる。
【００３２】
図１１に示す第１１実施形態では、棒鋼１０の軸線方向に等間隔をおいて形成された各表示領域１４Ｋにおいて、鋼種識別マーク１５Ｋと径識別マーク１６Ｋが棒鋼１０の軸線方向に間隔をおいて形成されている。これらマーク１５Ｋ，１６Ｋは形状、寸法、数、角度は等しいが、鋼種識別マーク１５Ｋが第１の色群から選択された色を呈し、径識別マーク１６Ｋが第２の色群から選択された色を呈し、第１の色群と第２の色群が同一の色を含まないため、両マーク１５Ｋ、１６Ｋを識別することができる。
【００３３】
第１１実施形態において、鋼種識別マーク１５Ｋに用いられる第１の色群は、例えば第１実施形態の鋼種識別マーク１５Ａに用いられる色群と同じにする。径識別マーク１６Ｋに用いられる第２の色群は、例えば次のようにする。
径識別マーク１６Ｋの色を例示すると下記の通りである。
Ｄ１０（径１０ｍｍ、以下同じ），Ｄ２５，Ｄ３８は「紫色」、Ｄ１６，Ｄ２９，Ｄ４１は「クリーム色」、Ｄ１９，Ｄ３２，Ｄ５１は「茶色」、Ｄ２２，Ｄ３５は「群青色」である。
【００３４】
図１２に示す第１２実施形態では、棒鋼１０のほぼ全長にわたる単一の表示領域を有しており、この表示領域において、平坦部１２に、棒鋼１０の軸線に沿って連続して延びる同一幅の鋼種識別マーク１６Ｌと径識別マーク１６Ｌが形成されている。この実施形態でも第１１実施形態と同様に、鋼種識別マーク１５Ｌが第１の色群から選択された色を呈し、径識別マーク１６Ｌが第２の色群から選択された色を呈し、第１の色群と第２の色群が同一の色を含まないため、両マーク１５Ｌ、１６Ｌを識別することができる。
【００３５】
上記第１１、第１２実施形態において、第１の色群と第２の色群において特定の１つの色を共通に用いてもよい。例えば、径識別マーク１６Ｋ，１６ＬのＤ２２，Ｄ３５を表す色を、鋼種識別マーク１５Ｋ，１５ＬのＳＤ４９０を表す色と同じ「青」にする。第１の色群の他の色と第２の色群の他の色は第１１、第１２実施形態と同様に互いに異なる。
この場合、鋼種識別マーク１５Ｋ，１５Ｌと径識別マーク１６Ｋ，１６Ｌが青で表示された場合、両マークの識別はできないものの、鋼種がＳＤ４９０で径がＤ２２，Ｄ３５であることを認識することができる。
【００３６】
第１〜第６実施形態、第１１実施形態において、理解を容易にするために表示領域１４Ａ〜１４Ｆ、１４Ｋの間隔を狭くして示しているが、この間隔は１ｍ〜２ｍ程度とするのが好ましい。
【００３７】
上記第７〜第９、第１２実施形態において、棒鋼１０は、その略全長にわたる単一の表示領域を有していてもよいし、棒鋼１０の軸線に沿い間隔をおいて複数の細長い表示領域を有していてもよい。
【００３８】
上記第１〜第１０実施形態において、第１１、第１２実施形態と同様に、鋼種識別マークの第１の色群と径識別マークの第２の色群が同一の色を含まないようにしてもよい。これによれば、より一層、鋼種識別マークと径識別マークを識別することができる。
【００３９】
図１３には、上述した実施形態の異形棒鋼１０を連結するための継手２０を示す。この継手２０は軸方向に貫通するねじ穴を有しており、その左右の棒鋼連結部２１，２２に異形棒鋼１０の端部を螺合し、注入穴２０ａからグラウト材を注入して硬化させすることにより、２本の棒鋼１０を連結するようになっている。
【００４０】
上記継手２０の左右の棒鋼連結部２１，２２には、連結すべき棒鋼１０の鋼種に対応する色の塗料からなる鋼種識別マーク２５と、棒鋼１０の径に対応する色の塗料からなる径識別マーク２６が付されている。
上記鋼種識別マーク２５の色を連結すべき棒鋼１０の鋼種識別マーク１５と同じ色にし、径識別マーク２６の色を連結すべき棒鋼１０の鋼種識別マーク１５と同じ色にするのが好ましい。
【００４１】
上記マーク２５，２６は、その形状、サイズ、数、角度、端面からの位置の少なくとも１つを異ならせることにより、及び／又は互いに共通の色を含まない第１色群と第２色群を使用することにより、互いに識別可能にする。好ましくは、第１〜第１２実施形態において棒鋼１０の鋼種識別マーク１５、径識別マーク２５を識別したと同様の態様で識別するのが好ましい。例えば、図示のように異形棒鋼１０において、鋼種識別マーク１５が周方向に延び、径識別マーク１６が軸線方向に延びるように形成した場合、継手２０において鋼種マーク２５が周方向に延び、径識別マーク２６が軸線方向に延びるようにする。
【００４２】
上記鋼種識別マークと径識別マークは、異形棒鋼の圧延工程終了後に、完全に冷却しない前に、焼付け塗装するのが好ましい。この場合、水溶性、耐熱性を有する塗料を用いる。
【００４３】
本発明は、上記実施例に制約されず、種々の態様を採用することができる。例えば、上記実施形態において鋼種識別マークと径識別マークを入れ替えてもよいことは勿論である。
鋼種識別マークと径識別マークに用いられる色は任意に選択できる。径識別マークの第２の色群の一つが無色（塗料無し）であってもよい。
異形棒鋼には、塗料からなる鋼種識別マークと径識別マークに加えて、棒鋼１の周面に、圧延ロールにより、鋼種および径を表示するマークを刻印してもよい。
上記鋼種識別マークと径識別マークをねじ部に形成してもよいし、全周（３６０°）にわたって形成してもよい。
本発明を竹節をなす異形棒鋼に適用してもよい。このような異形棒鋼を連結する継手にも図１３と同様のマークを施すことができる。なお、竹節の場合には、鋼種識別マークと径識別マークに加えて、竹節の横節部の間隔や、棒鋼の軸線に対する角度等により、鋼種及び／又は径を表してもよい。
本発明を環状に折り曲げられた剪断補強筋等、種々の形状に加工された異形棒鋼に適用してもよい。
【産業上の利用可能性】
【００４４】
本発明は、建築等に使用される異形棒鋼の鋼種と径を識別するために適用することができる。
【符号の説明】
【００４５】
１０  異形棒鋼
１４Ａ〜１４Ｆ、１４Ｊ、１４Ｋ  表示領域
１５、１５Ａ〜１５Ｌ  鋼種識別マーク
１６、１６Ａ〜１６Ｌ  径識別マーク
２０  継手
２１，２２  棒鋼連結部
２５  鋼種識別マーク
２６  径識別マーク
【図１】
2011104616.tif 000003
【図２】
2011104616.tif 000004
【図３】
2011104616.tif 000005
【図４】
2011104616.tif 000006
【図５】
2011104616.tif 000007
【図６】
2011104616.tif 000008
【図７】
2011104616.tif 000009
【図８】
2011104616.tif 000010
【図９】
2011104616.tif 000011
【図１０】
2011104616.tif 000012
【図１１】
2011104616.tif 000013
【図１２】
2011104616.tif 000014
【図１３】
2011104616.tif 000015